(57)【要約】  【課題】点字を墨字に重ねて出力しても、点字によって墨字の読み取りが阻害されない文字出力装置を提供する。  【解決手段】文字出力装置１は、墨字レイヤーと点字レイヤーで構成されるフォントデータを記憶する記憶部２と、墨字レイヤーに基づいて、出力対象の媒体に墨字を印刷する墨字印刷部３と、点字レイヤーに基づいて、墨字が印刷された媒体に点字を出力する点字出力部４を備える。フォントデータに含まれる文字は、点字を構成する点部分Ｐが墨字を構成する線部分Ｌにすべて重なるように構成されている。点字出力部４は、墨字が印刷された媒体に点字を出力するときに、点字を構成する点部分Ｐが墨字を構成する線部分Ｌにすべて重なるように位置あわせを行う。【選択図】  図１
2020016811.tif 000002
【特許請求の範囲】
【請求項１】
墨字レイヤーと点字レイヤーで構成されるフォントデータを記憶する記憶部と、
前記墨字レイヤーに基づいて、出力対象の媒体に墨字を印刷する墨字印刷部と、
前記点字レイヤーに基づいて、前記墨字が印刷された媒体に点字を出力する点字出力部と、
を備え、
前記フォントデータに含まれる文字は、点字を構成する点部分が墨字を構成する線部分にすべて重なるように構成されており、
前記点字出力部は、前記墨字が印刷された媒体に前記点字を出力するときに、前記点字を構成する点部分が前記墨字を構成する線部分にすべて重なるように位置あわせを行う、ことを特徴とする文字出力装置。
【請求項２】
前記点字出力部は、ＵＶ印刷によって、前記墨字が印刷された媒体に前記点字を出力する、請求項１に記載の文字出力装置。
【請求項３】
前記点字出力部は、シルクスクリーン印刷によって、前記墨字が印刷された媒体に前記点字を出力する、請求項１に記載の文字出力装置。
【請求項４】
前記点字出力部は、エンボス加工によって、前記墨字が印刷された媒体に前記点字を出力する、請求項１に記載の文字出力装置。
【請求項５】
前記点字出力部は、打刻によって、前記墨字が印刷された媒体に前記点字を出力する、請求項１に記載の文字出力装置。
【発明の詳細な説明】
【技術分野】
【０００１】
本発明は、点字を墨字に重ねて出力する文字出力装置に関する。
【背景技術】
【０００２】
従来から、視覚障害者が認識可能な点字と、視覚障害を有しない晴眼者が視認可能な墨字を、上下に並べて配置する方法が知られている。ところが、点字と墨字を上下に並べて配置する方法では、墨字を配置するためのスペースの上部または下部に、点字を配置するためのスペースを別途確保する必要がある。そのため、配置スペースに限りがある場合など、点字を配置するためのスペースを確保することが困難な場合があった。そこで従来、点字を墨字に重ねて出力する方法が提案されている（例えば特許文献１参照）。
【先行技術文献】
【特許文献】
【０００３】
【特許文献１】特開２００６−５３３１２号公報
【発明の概要】
【発明が解決しようとする課題】
【０００４】
従来の方法では、点字を墨字に重ねて出力することができるので、点字のためのスペースを墨字のためのスペースとは別に確保する必要がない。しかしながら、従来の方法では、点字を構成する点部分の一部のみが墨字を構成する線部分に重なっている。すなわち、点字を構成する点部分が墨字を構成する線部分以外の部分にも配置されている。その結果、墨字の線部分以外の部分（本来空白であるべき部分）に配置された点部分によって、墨字の読み取りが阻害されるという問題があった。
【０００５】
本発明は、上記の課題に鑑みてなされたもので、点字を墨字に重ねて出力しても、点字によって墨字の読み取りが阻害されない文字出力装置を提供することを目的とする。
【課題を解決するための手段】
【０００６】
本発明の文字出力装置は、墨字レイヤーと点字レイヤーで構成されるフォントデータを記憶する記憶部と、前記墨字レイヤーに基づいて、出力対象の媒体に墨字を印刷する墨字印刷部と、前記点字レイヤーに基づいて、前記墨字が印刷された媒体に点字を出力する点字出力部と、を備え、前記フォントデータに含まれる文字は、点字を構成する点部分が墨字を構成する線部分にすべて重なるように構成されており、前記点字出力部は、前記墨字が印刷された媒体に前記点字を出力するときに、前記点字を構成する点部分が前記墨字を構成する線部分にすべて重なるように位置あわせを行う。
【０００７】
この構成によれば、点字を墨字に重ねて出力することができるので、点字のためのスペースを墨字のためのスペースとは別に確保する必要がない。しかも、この場合、点字を構成する点部分が墨字を構成する線部分にすべて重なっているので、点字を墨字に重ねて出力しても、点字によって墨字の読み取りが阻害されない。
【０００８】
また、本発明の文字出力装置では、前記点字出力部は、ＵＶ印刷によって、前記墨字が印刷された媒体に前記点字を出力してもよい。
【０００９】
この構成によれば、ＵＶ印刷を用いて、点字を墨字に重ねて出力することができる。
【００１０】
また、本発明の文字出力装置では、前記点字出力部は、シルクスクリーン印刷によって、前記墨字が印刷された媒体に前記点字を出力してもよい。
【００１１】
この構成によれば、シルクスクリーン印刷を用いて、点字を墨字に重ねて出力することができる。
【００１２】
また、本発明の文字出力装置では、前記点字出力部は、エンボス加工によって、前記墨字が印刷された媒体に前記点字を出力してもよい。
【００１３】
この構成によれば、エンボス加工を用いて、点字を墨字に重ねて出力することができる。
【００１４】
また、本発明の文字出力装置では、前記点字出力部は、打刻によって、前記墨字が印刷された媒体に前記点字を出力してもよい。
【００１５】
この構成によれば、打刻を用いて、点字を墨字に重ねて出力することができる。
【発明の効果】
【００１６】
本発明によれば、点字を墨字に重ねて出力しても、点字によって墨字の読み取りが阻害されない。
【図面の簡単な説明】
【００１７】
【図１】本発明の実施の形態における文字出力装置の構成を示すブロック図である。
【図２】本発明の実施の形態におけるフォントデータの一例を示す図である。
【図３】本発明の実施の形態におけるフォントデータの他の例を示す図である。
【図４】本発明の実施の形態におけるフォントデータの更に他の例を示す図である。
【図５】本発明の実施の形態における文字出力装置の動作を説明するためのフロー図である。
【発明を実施するための形態】
【００１８】
以下、本発明の実施の形態の文字出力装置について、図面を用いて説明する。本実施の形態では、視覚障害者と晴眼者が兼用できる書籍、テープ、案内板、チケット等の製作に用いられる文字出力装置の場合を例示する。
【００１９】
本発明の実施の形態の文字出力装置の構成を、図面を参照して説明する。図１は、本実施の形態の文字出力装置の構成を示すブロック図である。図１に示すように、文字出力装置は、墨字レイヤーと点字レイヤーで構成されるフォントデータを記憶する記憶部と、墨字レイヤーに基づいて、出力対象の媒体（例えば、書籍、テープ、案内板、チケット等）に墨字を印刷する墨字印刷部と、点字レイヤーに基づいて、墨字が印刷された媒体に点字を出力する点字出力部を備えている。
【００２０】
図２は、フォントデータの一例を示す図である。また、図３は、フォントデータの他の例を示す図である。また、図４は、フォントデータの更に他の例を示す図である。図２〜図４に示すように、フォントデータに含まれる文字は、点字を構成する点部分Ｐが墨字を構成する線部分Ｌにすべて重なるように構成されている。
【００２１】
そして、点字出力部は、墨字が印刷された媒体に点字を出力するときに、点字を構成する点部分Ｐが墨字を構成する線部分Ｌにすべて重なるように位置あわせを行う。位置あわせは、公知の技術を利用することができる。例えば、墨字に基準点を設定するとともに点字にも基準点を設定しておき、墨字の基準点と点字の基準点を一致させるように位置あわせを行う。
【００２２】
本実施の形態では、点字出力部は、ＵＶ印刷によって、墨字が印刷された媒体に点字を出力する。この場合、一回のＵＶ印刷では、点字の点部分Ｐの厚みが十分に得られないことがある。そのような場合には、ＵＶ印刷を複数回（例えば１０回）繰り返し行うことにより、十分な厚みを得ることができる。
【００２３】
また、点字出力部は、シルクスクリーン印刷によって、墨字が印刷された媒体に点字を出力してもよい。あるいは、点字出力部は、エンボス加工によって、墨字が印刷された媒体に点字を出力してもよい。また、点字出力部は、打刻によって、墨字が印刷された媒体に点字を出力してもよい。
【００２４】
以上のように構成された文字出力装置について、図５のフロー図を参照してその動作を説明する。
【００２５】
図５に示すように、本実施の形態の文字出力装置で墨字と点字を出力する場合には、まず、記憶部から墨字レイヤーのデータを読み出し（Ｓ１）、墨字印刷部で出力対象の媒体に墨字を印刷する（Ｓ２）。墨字の印刷が完了したら、次に、記憶部から点字レイヤーのデータを読み出し（Ｓ３）、点字出力部で点字のＵＶ印刷を行う。
【００２６】
この場合、まず、点字を構成する点部分Ｐが墨字を構成する線部分Ｌにすべて重なるように位置あわせを行い（Ｓ４）、その後、墨字が印刷された媒体に点字をＵＶ印刷する（Ｓ５）。点字のＵＶ印刷を所定回数（例えば１０回）繰り返したら（Ｓ６）、処理を終了する。
【００２７】
このような本実施の形態の文字出力装置によれば、点字を墨字に重ねて出力することができるので、点字のためのスペースを墨字のためのスペースとは別に確保する必要がない。しかも、この場合、点字を構成する点部分Ｐが墨字を構成する線部分Ｌにすべて重なっているので、点字を墨字に重ねて出力しても、点字によって墨字の読み取りが阻害されない。したがって、この文字出力装置で制作した書籍、テープ、案内板、チケット等は、視覚障害者と晴眼者で、分け隔てなく利用する（兼用する）ことができる。
【００２８】
本実施の形態では、例えば、ＵＶ印刷を用いて、点字を墨字に重ねて出力することができる。また、シルクスクリーン印刷を用いて、点字を墨字に重ねて出力することができる。あるいは、エンボス加工を用いて、点字を墨字に重ねて出力することができる。また、打刻を用いて、点字を墨字に重ねて出力することができる。
【００２９】
以上、本発明の実施の形態を例示により説明したが、本発明の範囲はこれらに限定されるものではなく、請求項に記載された範囲内において目的に応じて変更・変形することが可能である。
【産業上の利用可能性】
【００３０】
以上のように、本発明にかかる文字出力装置は、点字を墨字に重ねて出力しても、点字によって墨字の読み取りが阻害されないという効果を有し、視覚障害者と晴眼者が兼用できる書籍、テープ、案内板、チケット等の製作に用いられ、有用である。
【符号の説明】
【００３１】
１  文字出力装置
２  記憶部
３  墨字印刷部
４  点字出力部
Ｐ  点部分
Ｌ  線部分
【図１】
2020016811.tif 000003
【図２】
2020016811.tif 000004
【図３】
2020016811.tif 000005
【図４】
2020016811.tif 000006
【図５】
2020016811.tif 000007